(57)【要約】【課題】宅内浸透枡の連結管を浸透トレンチの透水管に接続する際の施工性を向上させると共に、地盤沈下の発生を抑制する浸透施設を提供する。【解決手段】地中に間隔を隔てて複数配置された集水枡部１６と、前記集水枡部１６間を連結し地中に水路を構成する浸透側溝部１７と、を備え、道路および施設敷地内に降り注いだ雨水を集水および地中に浸透処理する浸透施設１Ｃであって、前記浸透側溝部１７は、底部とその底部の両側縁から立設した側壁２３ｂとで縦断面Ｕ字状に形成された溝型ブロック２３を備え、前記集水枡部１６および溝型ブロック２３の少なくとも一方の側壁は、他の箇所よりも肉厚が薄いノックアウト部２３ｃが形成される。【選択図】図１
2012001876.tif 000002
【特許請求の範囲】
【請求項１】
地中に間隔を隔てて複数配置された集水枡部と、前記集水枡部間を連結し地中に水路を構成する浸透側溝部と、を備え、道路および施設敷地内に降り注いだ雨水を集水および地中に浸透処理する浸透施設であって、
前記浸透側溝部は、底部とその底部の両側縁から立設した側壁とで縦断面Ｕ字状に形成された溝型ブロックと、該溝型ブロック上に設置されたＬ型蓋と、を備え、
前記集水枡部および溝型ブロックの少なくとも一方の側壁は、他の箇所よりも肉厚が薄いノックアウト部が形成され、
前記Ｌ型蓋は、
前記Ｌ型蓋の一端側に形成された淵部と、
前記淵部から垂直方向に突出し、上端面が淵部側に向かって下り傾斜状に形成された傾斜部と、
前記傾斜部の淵部側の上端面に形成された溝部と、
前記溝部からＬ型蓋の下端面まで形成されたスリットと、
前記傾斜部の自由端側の上端面に形成された切欠部と、
を有することを特徴とする浸透施設。
【請求項２】
前記集水枡の両側壁内側には上端から下端まで一対の溝が形成され、
隔壁が、その両側縁を前記一対の溝に嵌合された状態で、浸透施設の長手方向に対して垂直に設けられたことを特徴とする請求項１記載の浸透施設。
【請求項３】
前記溝型ブロックのノックアウト部に貫通孔を形成し、地中に埋設される配管を前記貫通孔に挿通することを特徴とする請求項１または２記載の浸透施設。
【請求項４】
前記溝型ブロックは、両側壁内側間が上方よりも下方の方が狭く形成された段差部を有し、
前記溝型ブロック内における前記配管の周囲に埋戻土を充填し、前記段差部上に分岐蓋を載置することを特徴とする請求項３記載の浸透施設。
【発明の詳細な説明】
【技術分野】
【０００１】
本発明は、住宅地や道路等に降り注がれた雨水等を地中に浸透させる浸透施設の構造に関する。
【背景技術】
【０００２】
近年、都市化の進展により雨水が地下に浸透しない不浸透域が増加し、都市型洪水の多発，清流の枯渇，水質の悪化，地下水の減少等，水循環の変化に起因する問題が生じている。一般的に、家屋や道路等に降り注がれた雨水は最終的に下水道や河川に流れ込むが、下水道や河川への雨水の集中は水害の原因となる。そのため、水害防止対策として家屋や道路等から下水道や河川へ流出する雨水を抑制することが考えられ、そのための施設として浸透枡や浸透トレンチ等の浸透施設が考案されている（例えば、特許文献１）。
【０００３】
図７は、従来の浸透施設の一例を示す概略図である。図７に示す浸透施設１Ａは、道路（歩道や車道）からの雨水を流入する集水枡部２と、この集水枡部２間を連結する浸透トレンチ３と、を備える。また、前記浸透トレンチ３には、宅内浸透枡部１１を介して、住宅等の施設敷地内に降り注がれた雨水が流入される。
【０００４】
前記集水枡部２は、図８に示すように、横断面形状が円形または角型に形成され、かつ、縦断面形状が略Ｕ字状に形成された枡本体４と、その枡本体４の上部に載置された枡蓋５と、を備える。前記枡本体４は浸透トレンチ３と接続するための流通孔４ａ，４ａと、下水道本管４ｃと接続するための流通孔４ｂと、が形成されている。また、前記枡蓋５は流通孔５ａが形成されると共に、その流通孔５ａ上にグレーチング５ｂが設置される。
【０００５】
前記浸透トレンチ３は、図８，図９に示すように、前記集水枡部２の流通孔４ａに接続され、側壁に多数の孔が形成された透水管６と、その透水管６の周囲に積層された砕石層７と、前記砕石層７の下方に積層された敷砂８と、透水管６の地上表層に設置されたＬ型蓋９と、を備える。なお、砕石層７と敷砂８との境界面には砕石層７をくるむように透水シート１０が備えられる。
【０００６】
Ｌ型蓋９は、図９に示すように、Ｌ型蓋９の一方の端部（家宅側端部）に形成された淵部９ａと、その淵部９ａから垂直方向（道路側）に突出し、上端面が淵部９ａ側に向かって下り傾斜状に形成された傾斜部９ｂと、で略Ｌ字状に形成されている。
【０００７】
前記宅内浸透枡部１１は、図９に示すように、家屋からの雨水を一旦集める浸透枡本体１２と、浸透枡本体１２の下方側周囲に積層された砕石層１３と、浸透枡本体１２と浸透トレンチ３とを接続する連結管１４と、を備える。なお、前記浸透枡本体１２の底部または側壁には、流通孔（図示省略）が形成されている。
【０００８】
次に、降雨時における雨水の流れを説明する。家屋等の施設敷地内に降り注いだ雨水は、浸透枡本体１２に流入する。浸透枡本体１２に流入した雨水は、浸透枡本体１２の底部または側壁の流通孔を通過して砕石層１３に流入し、地中へと浸透処理される。そして、浸透枡本体１２に流入する水量が増加し、浸透枡本体１２の水位が上昇すると連結管１４を介して透水管６へと雨水が流出する。このように、降雨初期からの流入水を宅内浸透枡１１が持っている浸透能力の範囲で浸透させ、浸透能力を超えた分の雨水は透水管６に越流させる。
【０００９】
浸透トレンチ３に流入した雨水は、透水管６を経由して集水枡２に導かれる過程で、雨水が透水管６から砕石層７に染み出し、さらには、透水シート１０，敷砂８を介して地下に浸透する。
【００１０】
また、道路やＬ型蓋９上に降り注いだ雨水は、前記傾斜部９ｂ上を流れ、淵部９ａによって塞き止められて傾斜部９ｂ上に溜まる。そして、傾斜部９ｂ上に溜まった雨水は集水枡２上の枡蓋５まで流れ、枡蓋５に形成された流入孔５ａ，グレーチング５ｂから枡本体４内に流入する。
【００１１】
枡蓋５の流通孔５ａ，グレーチング５ｂを通って枡本体４に流れ込んだ雨水は、前記浸透トレンチ３で砕石層７に染み出さず枡本体４に流れ込んだ雨水と合流する。ここで、枡本体４に流入する雨水が増加し、枡本体４の水位が上昇すると、流通孔４ｂを通って下水道本管４ｃや河川に流出される。
【００１２】
このように、前記浸透施設１Ａは浸透能力を有し、河川や下水道に流出される流出水は低減される。
【先行技術文献】
【特許文献】
【００１３】
【特許文献１】特開昭６２−３１１２９（第１図）
【発明の概要】
【発明が解決しようとする課題】
【００１４】
しかしながら、上記のような従来の浸透施設には、下記に示すような問題があった。
【００１５】
通常、家屋等の施設や道路等の施工は、道路の施工が完了し、その後、道路沿いに家屋等の施設が施工される。そのため、地中においては、集水枡部２，浸透トレンチ３等の施工が完了した後に、宅内浸透枡１１が施工されることとなる。しかしながら、浸透トレンチ３は浸透能力を有するために、透水管６の周囲に砕石層７が積層されている。
【００１６】
そのため、前記連結管１４を浸透トレンチ３の透水管６に接続施工する際には、前記透水シート１０と砕石層７を崩して連結管１４と透水管６とを接続施工し、その後、砕石層７と透水シート１０を再度構築する必要があった。上記の作業は、現場作業が多く施工性に問題があった。
【００１７】
また、連結管１４と透水管６との接続施工時に、透水シート１０と砕石層７を崩すことにより、Ｌ型蓋９付近に地盤沈下が発生する恐れがあった。Ｌ型蓋９付近に地盤沈下が発生すると、水溜まりが生じやすく車両通行時における水跳ねが懸念される。また、前記地盤沈下によりＬ型蓋９と道路との間に段差が生じる恐れもあり危険であった。さらに、Ｌ型蓋９付近に地盤沈下が発生した際には、別途補修工事が必要となり、工数とコストが増加してしまう問題があった。
【００１８】
また、上述したように、道路等に降り注がれた雨水は、Ｌ型蓋９の傾斜部９ｂ上を流れ淵部９ａによって塞き止められて傾斜部９ｂ上に溜まる。そのため、Ｌ型蓋９は、降雨時に雨水が傾斜部９ｂを越えて道路側に越流することを抑制する必要があり、Ｌ型蓋９における浸透トレンチ３短手方向の寸法を小さく設計することができなかった。
【００１９】
しかしながら、通常、このＬ型蓋９はコンクリートから成るため、道路用の白線を塗布することができず、道路用の白線はアスファルトで舗装された道路上に塗布する必要があった。そのため、Ｌ型蓋９における浸透トレンチ３短手方向の寸法が大きく設計されると、スペースの狭い道路では広い道路幅を確保することができなかった。
【００２０】
さらに、家屋等の施設を施工した際には、連結管１４だけでなく、汚水管１５ａ，ガス管１５ｂ，水道管１５ｃ等の配管（以下、配管１５ａ、１５ｂ，１５ｃと称する）も地中に埋設されることとなる。配管１５ａ，１５ｂ、１５ｃが埋設された際の浸透施設１Ｂを図１０，図１１に示す。なお、浸透施設１Ｂでは、宅内浸透枡１１の連結管１４が集水枡２の枡本体４に接続されるものとする。
【００２１】
配管１５ａ，１５ｂ，１５ｃも連結管１４と同様に、道路の施工（浸透トレンチ３および集水枡２の施工）が完了した後（例えば、家屋施工時）に施工される。また、浸透トレンチ３は集水枡２間に絶え間なく埋設されているため、配管１５ａ，１５ｂ，１５ｃを地中に埋設する際には、その配管１５ａ，１５ｂ，１５ｃを浸透トレンチ３内に設置しなければならなかった。
【００２２】
そのため、配管１５ａ，１５ｂ，１５ｃを地中に埋設する際には、透水シート１０を壊し、砕石層７を崩してから、配管１５ａ，１５ｂ，１５ｃを設置し、その後、再度砕石層７と透水シート１０を構築しなければならなかった。その結果、宅内浸透枡１１の連結管１４と浸透トレンチ３の透水管６とを接続施工する場合と同様に、現場作業が多く施工性に問題があると共に、地盤沈下が発生する恐れがあった。
【００２３】
以上示したようなことから、宅内浸透枡の連結管を浸透トレンチの透水管に接続する際の施工性を向上させると共に、地盤沈下の発生を抑制する浸透施設を提供することが第１課題となる。
【００２４】
また、汚水管，ガス管，水道管等の配管を施工する際の施工性を向上させると共に、地盤沈下の発生を抑制する浸透施設を提供することが第２課題となる。
【００２５】
さらに、従来よりも道路幅を広く確保できるＬ型蓋を備えた浸透施設を提供することが第３課題となる。
【課題を解決するための手段】
【００２６】
本発明は、前記従来の問題に鑑み案出されたもので、その一態様は、地中に間隔を隔てて複数配置された集水枡部と、前記集水枡部間を連結し地中に水路を構成する浸透側溝部と、を備え、道路および施設敷地内に降り注いだ雨水を集水および地中に浸透処理する浸透施設であって、前記浸透側溝部は、底部とその底部の両側縁から立設した側壁とで縦断面Ｕ字状に形成された溝型ブロックと、該溝型ブロック上に設置されたＬ型蓋と、を備え、前記集水枡部および溝型ブロックの少なくとも一方の側壁は、他の箇所よりも肉厚が薄いノックアウト部が形成され、前記Ｌ型蓋は、前記Ｌ型蓋の一端側に形成された淵部と、前記淵部から垂直方向に突出し、上端面が淵部側に向かって下り傾斜状に形成された傾斜部と、前記傾斜部の淵部側の上端面に形成された溝部と、前記溝部からＬ型蓋の下端面まで形成されたスリットと、前記傾斜部の自由端側の上端面に形成された切欠部と、を有することを特徴とする。
【００２７】
本発明の他の態様は、前記集水枡の両側壁内側には上端から下端まで一対の溝が形成され、隔壁が、その両側縁を前記一対の溝に嵌合された状態で、浸透施設の長手方向に対して垂直に設けられたことを特徴とする。
【００２８】
本発明の他の態様は、前記溝型ブロックのノックアウト部に貫通孔を形成し、地中に埋設される配管を前記貫通孔に挿通することを特徴とする。
【００２９】
本発明の他の態様は、前記溝型ブロックは、両側壁内側間が上方よりも下方の方が狭く形成された段差部を有し、前記溝型ブロック内における前記配管の周囲に埋戻土を充填し、前記段差部上に分岐蓋を載置することを特徴とする。
【発明の効果】
【００３０】
本発明によれば、宅内浸透枡の連結管を浸透トレンチの透水管に接続する際の施工性を向上させると共に、地盤沈下の発生を抑制することが可能となる。
【図面の簡単な説明】
【００３１】
【図１】実施形態１の浸透施設の一例を示す断面図。
【図２】実施形態１の集水枡部の一例を示す断面図。
【図３】実施形態１の浸透側溝の一例を示す断面図。
【図４】実施形態１のＬ型蓋の一例を示す断面図。
【図５】実施形態２の浸透施設の一例を示す断面図。
【図６】実施形態２の浸透施設を示す縦断面図。
【図７】従来の浸透施設の一例を示す断面図。
【図８】従来の集水枡部の一例を示す断面図。
【図９】従来の浸透トレンチの一例を示す断面図。
【図１０】従来の浸透施設の他例を示す構成図。
【図１１】従来の浸透施設の他例を示す断面図。
【発明を実施するための形態】
【００３２】
以下、本実施形態１における浸透施設１Ｃを説明する。
【００３３】
本実施形態１の浸透施設１Ｃは、図１に示すように、道路（歩道や車道）からの雨水を流入する集水枡部１６と、この集水枡部１６間を連結し地中に水路を構成する浸透側溝部１７と、を備える。宅内枡からの雨水は、集水枡部１６，浸透側溝部１７の両方もしくはどちらか一方に流入されるが、本実施形態１では、浸透側溝部１７に流入されるものとする。
【００３４】
前記集水枡部１６は、主に道路上または家宅敷地内に降り注がれた雨水を集水、および地中に浸透処理させるための施設として使用されるものである。集水枡部１６は、図２に示すように、横断面形状が円形または角型に形成され、かつ、縦断面形状が略Ｕ字状に形成された枡本体１８と、前記枡本体１８の下方側周囲に積層された砕石層１９と、前記砕石層１９の下方に積層された敷砂２０と、前記砕石層１９と敷砂２０との間に砕石層１９をくるむように配置された透水シート２１と、前記枡本体１８上に載置される枡蓋２２と、を備える。
【００３５】
前記枡本体１８は底部および側壁１８ｃに流通孔１８ａ，１８ｂが形成される。また、枡本体１８の材質は樹脂製，コンクリート製，ポーラスコンクリート製等があるが、設置条件等により適切な材質が選定されるものとする。前記枡蓋２２には道路等から流れてきた雨水が枡本体１８に流入する際に通過する流通孔２２ａが形成され、その流通孔２２ａ上にグレーチング２２ｂが載置されている。
【００３６】
前記浸透側溝部１７は、図３に示すように、前記集水枡部１６間を連結する溝型ブロック２３と、その溝型ブロック２３の地上表層、かつ浸透枡部１６の枡蓋２２間に並べて設置されたＬ型蓋２４と、前記溝型ブロック２３の周囲に積層された砕石層２５と、前記砕石層２５の下方に積層された敷砂２６と、前記砕石層２５と敷砂２６との間に砕石層２５をくるむように配置された透水シート２７と、を備える。
【００３７】
本実施形態１における溝型ブロック２３は、底部２３ａと、その底部２３ａの両側縁から立設した側壁２３ｂとで縦断面略Ｕ字状に形成される。前記溝型ブロック２３は底部２３ａおよび側壁２３ｂに流通孔２３ｄが形成されている。前記側壁２３ｂには、予め打ち抜きが容易に行えるように、他の箇所よりも肉厚の薄いノックアウト部２３ｃが形成されている。
【００３８】
このノックアウト部２３ｃが形成されていることにより、施工現場で容易に貫通孔を形成（例えば、叩打して形成）することができる。このノックアウト部２３ｃの側壁の厚みは、意に反して崩壊しない程度（例えば、土圧や水圧，振動等で崩壊しない程度）かつ、意図的に貫通孔を形成しようとした際に容易に形成できる程度の厚みとし、溝型ブロック２３の寸法や材質等に応じて適宜設計されるものする。また、前記ノックアウト部２３ｃは側壁２３ｂの外側に凹部が形成された形状となっているが、内側に凹部が形成された形状でも、内側および外側の両方に凹部が形成された形状でもよい。
【００３９】
宅内浸透枡２８は、主に家屋敷地内に降り注がれた雨水を集水，および浸透させる浸透施設として使用されるものである。宅内浸透枡２８は、図３に示すように、家屋からの雨水を一旦集める浸透枡本体２９と、浸透枡本体２９の下方側周囲に積層された砕石層３１と、宅内浸透枡２８の浸透枡本体２９と浸透側溝部１７とを接続する連結管３０と、を備える。なお、前記浸透枡本体２９の底部または側壁には、流通孔（図示省略）が形成されている。
【００４０】
前記集水枡部１６，浸透側溝部１７，宅内浸透枡２８に積層される砕石層１９，２５，３１は空隙率の高いものを選定することが望ましい。また、透水シート２１，２７は、土砂が砕石層１９，２５に流入するのを防ぐとともに、路面や砕石層の陥没，沈下を防ぐことを目的として設置される。透水シート２１，２７としては十分な引っ張り強度を有し、腐食等の面で長期的に使用に耐えると共に、水を良く通し砂と同数以上の透水係数を有するものを使用することが望ましい。
【００４１】
また、浸透施設（集水枡部１６，浸透側溝部１７，宅内浸透枡部２８）１Ｃには浸透機能の継続性を確保するため、目詰まり防止のための装置を設けることが望ましい。目詰まり防止装置には、上部フィルター，底部フィルター，管口フィルター等があり、設置目的に応じて着脱が容易で腐食しない材質の適切な装置を設置することが望ましい。
【００４２】
次に、降雨時における雨水の流れを説明する。降雨時に家屋敷地内に降り注いだ雨水は、宅内浸透枡２８の枡本体２９に流入する。この枡本体２９に流入した雨水は、その枡本体２９の底部または側壁に形成された流通孔から砕石層３１に浸透し、地中へと浸透処理される。そして、枡本体２９に流入する水量が増加し、枡本体２９内の水位が上昇すると、その雨水は連結管３０を通って前記浸透側溝部１７の溝形ブロック２３に流出される。このように、降雨初期からの流入水を宅内浸透枡２８が持っている浸透能力の範囲で浸透させ、浸透能力を超えた分の雨水は、浸透側溝部１７に越流させる。
【００４３】
浸透側溝部１７の溝型ブロック２３に流入した流入水は、集水枡部１６の枡本体１８に導かれる過程で、雨水が溝型ブロック２３の底部２３ａおよび側壁２３ｂに形成された流通孔２３ｄを介して砕石層２５に染み出し、さらには、透水シート２７，敷砂２６を介して地下に浸透する。地下に浸透しなかった雨水は、集水枡部１６の枡本体１８に導かれることとなる。
【００４４】
浸透側溝部１７から枡本体１８に流入した流入水は、道路等から枡蓋２２（流通孔２２ａ，グレーチング２２ｂ）を介して枡本体１８に流れ込んだ雨水と合流する。この合流した雨水は側壁１８ｃおよび底面に形成された流通孔１８ａ，１８ａから砕石層１９に染み出し、さらには、透水シート２１，敷砂２０を介して地下に浸透する。そして、枡本体１８に流入する水量が増加し、枡本体１８内の水位が上昇すると流通孔１８ｂから下水道本管１８ｃや河川に流出される。
【００４５】
ここで、浸透側溝部１７の溝型ブロック２３と、宅内浸透枡２８の連結管３０との接続施工方法を説明する。
【００４６】
まず、溝型ブロック２３のノックアウト部２３ｃに貫通孔を形成する。前記ノックアウト部２３ｃは、側壁２３ｂの他の箇所よりも薄く形成されているため、容易に貫通孔を形成することができる。そして、その貫通孔と連結管３０とを接続する。
【００４７】
これにより、従来の浸透施設１Ａ，１Ｂのように透水シートと砕石層とを崩す作業、および連結管の接続後に再度砕石層と透水シートを構築する作業が不要となる。そのため、従来の浸透施設１Ａ，１Ｂと比較して、連結管３０と溝型ブロック２３との接続施工工事の工数を低減することが可能となり、施工性の向上が図れる。さらに、砕石層を崩す作業が不要となることにより、Ｌ型蓋２４付近における地盤沈下の発生が抑制される。そのため、Ｌ型蓋２４付近に水溜まりが生じることを抑制するとともに、車両通行時における水跳ねの懸念も低減される。また、Ｌ型蓋２４付近で発生する地盤沈下を抑制することにより、Ｌ型蓋２４と道路との間に段差が生じることを抑制し、バリアフリー性が向上すると共に、安全性が高まる。さらに、地盤沈下が発生したことによる別途補修工事も不要となる。
【００４８】
また、本実施形態１の集水枡部１６の枡本体１８には、浸透施設１Ｃの長手方向に対して垂直に隔壁３２が設置される。この隔壁３２の高さ寸法は、浸透施設１Ｃの設計水位等に応じて設計されるものとする。
【００４９】
この隔壁３２を集水枡部１６の枡本体１８に設置する方法としては、枡本体１８の両側壁１８ｃ内側の上端から下端まで一対の溝（図示省略）を形成し、その溝に隔壁３２の両側縁を嵌合させて保持する方法が挙げられる。この場合、前記溝の幅および深さは、前記側壁３２の寸法に応じて形成されるものとする。
【００５０】
この隔壁３２を集水枡部１６に設置することにより、集水枡部１６の枡本体１８に流入した流入水は、その隔壁３２で塞き止められ、隔壁３２間の浸透施設（浸透枡部１６および浸透側溝部１７）１Ｃには流入水が溜まりやすくなる。一般的に、浸透施設においては、流入水が浸透施設内を流れている状態よりも、流入水が浸透施設内で滞留している状態の方が、浸透能力が高いことが知られている。そのため、本実施形態１のように、前記隔壁３２を集水枡部１６の枡本体１８に設置し、流入水を前記隔壁３２間に滞留させることにより、隔壁３２を設置しない場合と比較して浸透能力が向上する。
【００５１】
ここで、本実施形態１における浸透側溝部１７のＬ型蓋２４について説明する。図４に示すように、本実施形態１におけるＬ型蓋２４は、従来例のＬ型蓋９と同様に、Ｌ型蓋２４の一方の端部（本実施形態１では家宅側端部）に形成された淵部２４ａと、前記淵部２４ａから垂直方向（本実施形態１では道路側）に突出し、上端面が淵部２４ａ側に向かって下り傾斜状に形成された傾斜部２４ｂと、を備えるものとする。また、本実施形態１のＬ型蓋２４は、傾斜部２４ｂの淵部２４ａ側の上端面に形成された溝部２４ｅと、その溝部２４ｅからＬ型蓋２４下端面まで形成されたスリット２４ｃと、前記傾斜部２４ｂの自由端側の上端面に形成された切欠部２４ｄとを備える。
【００５２】
前記溝部２４ｅは、前記淵部２４ａに沿って所定の深さで形成される。前記スリット２４ｃは、所定の長さで所定の間隔を隔てて複数個形成（例えば、５０ｃｍの長さのスリットが５０ｃｍの間隔を隔てて形成）される。また、雨水を集水枡１６内にスムーズに流入させるために、前記スリット２４ｃの縦断面形状は、Ｌ型蓋２４の上端面側よりも下端面側の方が大きいテーパ状に形成されることが望ましい。
【００５３】
また、前記切欠部２４ｄは、Ｌ型蓋２４の溝型ブロック２３長手方向における両端に渡って、傾斜部２４ｂの自由端側から所定の幅（例えば、１２０ｍｍ）で形成される。前記切欠部２４ｄの深さは、例えば６０ｍｍであるが特に限定されるものではない。
【００５４】
上記のようにＬ型蓋２４が形成されることにより、道路に降り注がれた雨水は、傾斜部２４ｂによって淵部２４ａ側に流れて溝部２４ｅに集められ、溝部２４ｅからスリット２４ｃを通って溝型ブロック２３内に流入する。そのため、雨水がＬ型蓋２４の傾斜部２４ｂに溜まることが抑制され、雨水が傾斜部２４ｂを越えて道路側に越流することが抑制される。その結果、本実施形態１におけるＬ型蓋２４は傾斜部２４ｂの溝型ブロック２３短手方向の寸法を短く設計することが可能となる。
【００５５】
また、前記のように傾斜部２４ｂの溝型ブロック２３短手方向の寸法を短く設計できるため、本実施形態１のＬ型蓋２４のように、傾斜部２４ｂの自由端側に切欠部２４ｄを形成させることができる。前記切欠部２４ｄは、道路施工時において、その切欠部２４ｄ上にアスファルトを敷設して舗装することができ、この切欠部２４ｄ上のアスファルトには道路用の白線を塗布することが可能となる。その結果、従来のＬ型蓋を載置した場合と比較して道路幅を広く確保することが可能となる。
【００５６】
さらに、前記切欠部２４ｄ上のアスファルトは道路上のアスファルトと一体であるため、Ｌ型蓋２４付近の地盤沈下の発生が抑制される。その結果、Ｌ型蓋２４付近に水溜りが生じることを抑制し、車両等による水跳ねの懸念も低減される。また、Ｌ型側溝２４と道路間に段差が生じることも抑制し、バリアフリー性が向上すると共に、安全性が高まる。さらに、地盤沈下が発生したことによる別途補修工事も不要となる。
【００５７】
また、従来の浸透施設１Ａ，１Ｂは、貯留が砕石層に委ねられ、貯留量の確保には砕石層の空隙管理が必要である。しかしながら、浸透トレンチ３の管理は実質不可能で、砕石層の目詰まりによる浸透貯留能力の低下が懸念されていた。それに対し、本実施形態１の浸透施設１Ｃは、貯留が集水枡部１６の枡本体１８，浸透側溝部１７の溝型ブロック２３に委ねられ、比較的管理し易い箇所に水が貯められている。そのため、前記枡本体１８，溝型ブロック２３を管理（例えば、ウォータージェットにより洗浄）することにより浸透貯留能力の維持が可能となる。
【００５８】
さらに、従来の浸透施設１Ａ，１Ｂは、透水管６内に堆積した土砂等を流水によって排除する等の機能を確保するため、透水管６に一定の勾配をつけることが必要となる。そのため、砕石層の底面と透水管とが水平ではなく施工性が良くなかった。それに対し、本実施形態１の浸透施設１Ｃは、砕石層１９，２５の底部と、集水枡部１６の枡本体１８，浸透側溝部１７の溝型ブロック２３の底面とが水平であるため施工性に優れる。
【００５９】
［実施形態２］
本実施形態２における浸透施設１Ｄは、浸透施設１Ｄの施工後に配管１５ａ，１５ｂ，１５ｃの施工を行う場合、前記配管１５ａ，１５ｂ，１５ｃを溝型ブロックに挿通するものである。以下、本実施形態２における浸透施設１Ｄを図５，図６に基づき説明する。
【００６０】
本実施形態２における浸透施設１Ｄは、図５に示すように、集水枡部４２と、浸透側溝部４７と、を備える。前記浸透側溝部４７は、配管１５ａ，１５ｂ，１５ｃが挿通される配管挿通部４３と、配管１５ａ，１５ｂ，１５ｃが挿通されない標準部４４と、を備える。
【００６１】
前記集水枡部４２は、図６（ａ）に示すように、枡本体４５と、その枡本体４５の下方側周囲に積層された砕石層３４と、その砕石層３４の下方に積層された敷砂３５と、前記砕石層３４と敷砂３５との間に砕石層３５をくるむように配置された透水シート３６と、枡本体４５上に載置された枡蓋４９と、を備える。
【００６２】
前記枡本体４５の側壁４５ａにはノックアウト部４５ｂが形成され、そのノックアウト部４５ｂに貫通孔を形成して宅内枡３８からの連結管３８ａが接続される。また、枡本体４５の底部または側壁４５ａには流通孔４５ｃが形成される。枡本体４５の高さ寸法は、配管挿通部４３の溝型ブロック４６や標準部４４の溝型ブロック３３よりも大きく形成されている。また、枡本体４５上部に載置される枡蓋４９は、道路からの雨水を流入する流入孔４９ａが形成され、その流入孔４９ａ上にグレーチング４９ｂが載置される。また、枡本体４５にはノックアウト部４５ｂを介して下水道本管３９が接続される。
【００６３】
前記配管挿通部４３は、図６（ｂ）に示すように、底部とその底部の両側縁から立設した側壁４６ａとで縦断面略Ｕ字状に形成された溝型ブロック４６と、その溝型ブロック４６の下方側周囲に積層された砕石層３４と、その砕石層３４の下方に積層された敷砂３５と、前記砕石層３４と敷砂３５との間に砕石層３４をくるむように配置された透水シート３６と、溝型ブロック４６上に設置されたＬ型蓋３７と、溝型ブロック内に充填される埋戻土４０と、前記埋戻土４０上に配置される分岐蓋４１と、を備える。
【００６４】
前記溝型ブロック４６の側壁４６ａにはノックアウト部４６ｂが形成される。また、前記溝型ブロック４６の両側壁４６ａ内側には分岐蓋４１を載置する受台としての段差４６ｄが形成される。前記段差４６ｄは、両側壁４６ａの内側間が上方よりも下方の方が狭く形成されることにより構成される。さらに、前記溝型ブロック４６には、図５に示すように、浸透施設１Ｄの長手方向に対して垂直に内枠４６ｃが形成され、溝型ブロック４６の下方側が有底筒体状に形成される。この段差部４６ｄと内枠４６ｃの上端部の位置は同一とし、浸透施設１Ｄの設計水位等に応じて設計されるものとする。
【００６５】
また、配管挿通部４３の溝型ブロック４６上に設置されるＬ型蓋３７は、実施形態１におけるＬ型蓋２４と同様のもの設置される。なお、本実施形態２における配管挿通部４３の溝型ブロック４６は、底部および側壁に流通孔が形成されないものとする。
【００６６】
前記標準部４４は、図６（ｃ）に示すように、底部とその底部の両側縁から立設した側壁３３ａとで縦断面略Ｕ字状に形成された溝型ブロック３３と、その溝型ブロック３３の下方側周囲に積層された砕石層３４と、その砕石層３４の下方に積層された敷砂３５と、前記砕石層３４と敷砂３５との間に砕石層３４をくるむように配置された透水シート３６と、溝型ブロック３３上に設置されたＬ型蓋３７と、を備える。
【００６７】
溝型ブロック３３は、底部と側壁３３ａに流通孔３３ｃが形成される。また、標準部４４の溝型ブロック３３上に設置されるＬ型蓋３７は、実施形態１におけるＬ型蓋２４と同様のものが載置される。
【００６８】
上記のような浸透施設１Ｄにおいて、浸透施設１Ｄの施工後に配管１５ａ，１５ｂ，１５ｃの施工を行う場合、配管挿通部４３における溝型ブロック４６のノックアウト部４６ｂに貫通孔を形成し、その貫通孔に配管１５ａ，１５ｂ，１５ｃが挿通される。配管１５ａ，１５ｂ，１５ｃ挿通後の溝型ブロック４６には埋戻土４０が充填され、前記段差４６ｄ上に分岐蓋４１が載置される。
【００６９】
このように、溝型ブロック４６に埋戻土４０を充填して分岐蓋４１を載置することにより、配管１５ａ，１５ｂ，１５ｃが雨水等で濡れて腐食することが抑制される。
【００７０】
以上示したように、浸透施設１Ｄの施工後に、配管１５ａ，１５ｂ，１５ｃの施工が生じた場合でも、配管挿通部４３の砕石層３４，透水シート３６を崩す作業、および配管１５ａ，１５ｂ，１５ｃ設置後に再度砕石層３４，透水シート３６を構築する作業が不要となる。そのため、配管１５ａ，１５ｂ，１５ｃの施工工事の工数を低減させることが可能となり、施工性の向上が図れる。さらに、砕石層３４を崩す作業が不要となることにより、Ｌ型蓋３７付近における地盤沈下の発生が抑制される。そのため、水溜まりが生じることを抑制するとともに、車両通行時における水跳ねの懸念も低減される。また、Ｌ型蓋３７付近での地盤沈下の発生を抑制することにより、Ｌ型蓋３７と道路との間に段差が生じることを抑制し、バリアフリー性が向上すると共に、安全性が高まる。さらに、地盤沈下が発生したことによる別途補修工事も不要となる。
【００７１】
次に、本実施形態２における浸透施設１Ｄの雨水の流れを説明する。道路に降り注いだ雨水は、枡蓋４９の流通孔４９ａやＬ型蓋３７のスリット３７ａを介して、配管挿通部４３の溝型ブロック４６，標準部４４の溝型ブロック３３，集水枡部４２の枡本体４５に流入する。配管挿通部４３の溝型ブロック４６に流入した流入水は、分岐蓋４１上に落下し、分岐蓋４１上を流れて、集水枡部４２における枡本体４５あるいは標準部４４における溝型ブロック３３に流入する。
【００７２】
道路および配管挿通部４３から標準部４４の溝型ブロック３３に流入した流入水は、底部および側壁３３ａ下方側に形成された流通孔３３ｃから砕石層３４に浸透し、透水シート３６，敷砂３５を介して地中へと浸透処理される。そして、地中に浸透処理されなかった雨水は集水枡部４２の枡本体４５に流出する。この時、配管挿通部４３の溝型ブロック４６内には内枠４６ｃ，埋戻土４０，分岐蓋４１が設けられているため、標準部４４の溝型ブロック３３からの雨水は塞き止められ、配管挿通部４３の溝型ブロック４６に流出することが抑制される。
【００７３】
集水枡部４２の枡本体４５には、宅内枡３８からの流入水が流入し、枡蓋４９，配管挿通部４３，標準部４４から流入した流入水と合流する。この枡本体４５に流入した流入水は、枡本体４５の底部または側壁４５ａに形成された流通孔４５ｃから砕石層３４に浸透し、透水シート３６，敷砂３５を介して地中へと浸透処理される。そして枡本体４５に流入する水量が増加し、枡本体４５の水位が上昇すると、下水道本管３９や河川に排出される。
【００７４】
この時、集水枡部４２および標準部４４の雨水は配管挿通部４３の内枠４６ｃ，埋戻土４０，分岐蓋４１に塞き止められ、集水枡部４２および標準部４４には流入水が溜まりやすくなる。そのため、前記内枠４６ｃ，埋戻土４０，分岐蓋４１は、実施形態１における隔壁３２の代わりとなる。その結果、実施形態１と同様に集水枡部４２および標準部４４の浸透能力が向上する。
【００７５】
また、本実施形態２の浸透施設１Ｄは、貯留が集水枡部４２の枡本体４５，標準部４４の溝型ブロック３３に委ねられ、比較的管理し易い箇所に水が貯められている。そのため、前記枡本体４５，溝型ブロック３３を管理（例えば、ウォータージェットにより洗浄）することにより浸透貯留能力の維持が可能となる。
【００７６】
さらに、上述したように、実施形態２のＬ型蓋３７は、実施形態１のＬ型蓋２４と同様のものが載置される。その結果、Ｌ型蓋３７は実施形態１のＬ型蓋２４と同様の作用効果を奏する。
【００７７】
また、本実施形態２は、砕石層３４の底部と、集水枡部４２の枡本体４５，配管挿通部４３の溝型ブロック４６および浸透側溝部４４の溝型ブロック３３の底面とが水平であるため施工性に優れる。
【００７８】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【００７９】
例えば、実施形態１では浸透側溝部１７にノックアウト部２３ｃを形成したが、集水枡部１６（の枡本体１８における側壁１８ｃ）にノックアウト部を形成してもよい。また、浸透側溝部１７および集水枡部１６の両方にノックアウト部を形成してもよい。
【符号の説明】
【００８０】
１Ａ〜１Ｄ…浸透施設
１６，４２…集水枡部
１７，４７…浸透側溝部
１８ｃ，２３ｂ，３３ａ，４５ａ，４６ａ…側壁
２３，３３，４６…溝型ブロック
２３ｃ，４５ｂ，４６ｂ…ノックアウト部
２４，３７…Ｌ型蓋
２４ａ…淵部
２４ｂ…傾斜部
２４ｃ…スリット
２４ｄ…切欠部
２４ｅ…溝部
３２…隔壁
４０…埋戻土
４１…分岐蓋
【図１】
2012001876.tif 000003
【図２】
2012001876.tif 000004
【図３】
2012001876.tif 000005
【図４】
2012001876.tif 000006
【図５】
2012001876.tif 000007
【図６】
2012001876.tif 000008
【図７】
2012001876.tif 000009
【図８】
2012001876.tif 000010
【図９】
2012001876.tif 000011
【図１０】
2012001876.tif 000012
【図１１】
2012001876.tif 000013